(57)【要約】      （修正有）【課題】ナノバブルを応用する廃ガス処理方法を提供する。【解決手段】廃ガスを収容空間に注入するステップと、ナノイオン水、アルカリ水又は電解水からなる群から選択される液体を使用して前記収容空間にナノバブルを含んだ前記液体を生成し、ナノバブルを含んだ前記液体を使用して前記廃ガスを分解及び酸化処理するステップと、ナノバブルを含んだ前記液体と混合した前記廃ガスを渦巻き部に注入し、ナノバブルを含んだ前記液体と混合した前記廃ガスを前記渦巻き部の中で旋回するステップと、処理後の廃ガスを排出するステップと、を含む。本発明はナノバブルを含んだ液体と廃ガスを混合することにより、前記液体のナノバブルは、前記廃ガスとの空洞現象及び超臨界水酸化を十分に反応でき、二酸化イオウ、一酸化窒素を含む窒素酸化物、揮発性有機化合物（ＶＯＣ）などの有害物質を除去する。【選択図】図１
2018158330.tif 000002
【特許請求の範囲】
【請求項１】
廃ガスを収容空間に注入するステップと、
ナノイオン水、アルカリ水又は電解水からなる群から選択される液体を使用して前記収容空間にナノバブルを含んだ前記液体を生成し、ナノバブルを含んだ前記液体を使用して前記廃ガスを分解及び酸化処理するステップと、
ナノバブルを含んだ前記液体と混合した前記廃ガスを渦巻き部に注入し、ナノバブルを含んだ前記液体と混合した前記廃ガスを前記渦巻き部の中で旋回するステップと、
処理後の廃ガスを排出するステップと、
を含むことを特徴とする、ナノバブルを応用する廃ガス処理方法。
【請求項２】
前記収容空間の底部から前記廃ガスを注入するステップと、
前記収容空間の頂部にナノバブルを含んだ前記液体を生成するステップと、
を含むことを特徴とする、請求項１に記載のナノバブルを応用する廃ガス処理方法。
【請求項３】
前記収容空間の底部に霧状の前記液体を噴霧して前記廃ガスと作用するステップと、
前記廃ガスと作用した前記液体を水循環システムに排出するステップと、
を含むことを特徴とする、請求項２に記載のナノバブルを応用する廃ガス処理方法。
【請求項４】
前記収容空間の底部に陰イオンを生成するステップとを含むことを特徴とする、請求項２に記載のナノバブルを応用する廃ガス処理方法。
【請求項５】
ナノバブルを応用する廃ガス処理システムであって、
廃ガスを収容空間に供給するように構成されるエアインレットと、
前記収容空間に設置されるナノバブル生成装置と、
気流旋回装置と
を備え、
前記ナノバブル生成装置は、ナノイオン水、アルカリ水又は電解水からなる群から選択される液体を供給するように設置され、且つ前記液体中にナノバブルを生成し、
ナノバブルを含んだ前記液体は、前記廃ガスを分解及び酸化し、
前記気流旋回装置は、駆動部と渦巻き部とを備え、前記渦巻き部は前記収容空間に連結され、前記駆動部は前記渦巻き部と前記収容空間の間に設置され、ナノバブルを含んだ前記液体を混合した前記廃ガスを収容し、
ナノバブルを含んだ前記液体は、前記廃ガスと空洞現象及び超臨界水酸化を発生することによって、前記廃ガスの有害物質を除去することを特徴とする、ナノバブルを応用する廃ガス処理システム。
【請求項６】
前記ナノバブル生成装置は、ナノバブル発生器を備え、前記ナノバブル発生器は、前記液体にナノバブルを生成するように前記収容空間の頂部近傍に設置されることを特徴とする、請求項５に記載のナノバブルを応用する廃ガス処理システム。
【請求項７】
前記ナノバブル発生器は、前記液体を得るように水循環システムに連結することを特徴とする、請求項６に記載のナノバブルを応用する廃ガス処理システム。
【請求項８】
前記ナノバブル生成装置は、前記液体を霧状に噴霧するように前記収容空間の底部近傍に設置されるアトマイザをさらに備えることを特徴とする、請求項６に記載のナノバブルを応用する廃ガス処理システム。
【請求項９】
前記アトマイザは、水循環システムに連結することを特徴とする、請求項８に記載のナノバブルを応用する廃ガス処理システム。
【請求項１０】
前記収容空間の底部に設置される陰イオンを生成する陰イオン発生器をさらに備えることを特徴とする、請求項５に記載のナノバブルを応用する廃ガス処理システム。
【発明の詳細な説明】
【技術分野】
【０００１】
本発明は一種の廃ガス処理の技術分野に関わり、特に液体中にナノバブルを生成して、二酸化イオウ、一酸化窒素などの窒素酸化物、揮発性有機化合物（ＶＯＣ）又は重金属を含んだ廃ガスを処理し、廃ガス中の汚染物質を除去するナノバブルを応用する廃ガス処理方法及びその処理システムに関する。
【背景技術】
【０００２】
空気は人間が生きるために不可欠なものであるが、近年、空気汚染が日々深刻となり、呼吸すらも健康に被害を及ぼすことが懸念される。空気汚染は一般的に工業工程、交通輸送、燃料の使用などの活動により発生する。そのうち、工業工程が生じる廃ガスは、空気汚染の主な原因となっている。工業工程中に生じる廃ガスを免れるのは難しいが、その廃ガスを廃ガス処理装置によって浄化し、その中に含有する有毒物質を除去すれば、空気汚染への影響を減らすことができる。
【発明の概要】
【発明が解決しようとする課題】
【０００３】
よって、廃ガスの汚染問題を有効に解決するのは、ナノバブルを応用する廃ガス処理方法及びその処理システムを提供する必要がある。
【課題を解決するための手段】
【０００４】
上記従来技術の問題に鑑みて、本発明は一種のナノバブルを応用する廃ガス処理方法及びその処理システムを提供して、従来技術が直面した問題を解決する。
【０００５】
上記の目的に沿い、本発明は一種のナノバブルを応用する廃ガス処理方法を提供する。その方法は：廃ガスを収容空間に注入するステップと、ナノイオン水、アルカリ水又は電解水からなる群から選択される液体を使用して前記収容空間にナノバブルを含んだ前記液体を生成し、ナノバブルを含んだ前記液体を使用して前記廃ガスを分解及び酸化処理するステップと、ナノバブルを含んだ前記液体と混合した前記廃ガスを渦巻き部に注入し、ナノバブルを含んだ前記液体と混合した前記廃ガスを前記渦巻き部の中で旋回するステップと、処理後の廃ガスを排出するステップとを含む。
【０００６】
好ましくは、前記収容空間の底部から前記廃ガスを注入するステップと、前記収容空間の頂部にナノバブルを含んだ前記液体を生成するステップとをさらに含む。
【０００７】
好ましくは、前記収容空間の底部に霧状の前記液体を噴霧して前記廃ガスと作用するステップと、前記廃ガスと作用した前記液体を水循環システムに排出するステップとをさらに含む。
【０００８】
好ましくは、前記収容空間の底部に陰イオンを生成するステップとをさらに含む。
【０００９】
前記の目的に沿い、本発明は一種のナノバブルを応用する廃ガス処理システムをさらに提供する。そのシステムは、廃ガスを収容空間に供給するように構成されるエアインレットと、前記収容空間に設置されるナノバブル生成装置と、気流旋回装置とを備え、前記ナノバブル生成装置は、ナノイオン水、アルカリ水又は電解水からなる群から選択される液体を供給するように設置され、且つ前記液体中にナノバブルを生成し、ナノバブルを含んだ前記液体は、前記廃ガスを分解及び酸化し、前記気流旋回装置は、駆動部と渦巻き部とを備え、前記渦巻き部は前記収容空間に連結され、前記駆動部は前記渦巻き部と前記収容空間の間に設置され、ナノバブルを含んだ前記液体を混合した前記廃ガスを収容し、ナノバブルを含んだ前記液体は、前記廃ガスと空洞現象及び超臨界水酸化を発生することによって、前記廃ガスの有害物質を除去する。
【００１０】
好ましくは、前記ナノバブル生成装置は、ナノバブル発生器を備え、前記ナノバブル発生器は、前記液体にナノバブルを生成するように前記収容空間の頂部近傍に設置される。
【００１１】
好ましくは、前記ナノバブル発生器は、前記液体を得るように水循環システムに連結する。
【００１２】
好ましくは、前記ナノバブル生成装置は、前記液体を霧状に噴霧するように前記収容空間の底部近傍に設置されるアトマイザをさらに備える。
【００１３】
好ましくは、前記アトマイザは、水循環システムに連結する。
【００１４】
好ましくは、前記収容空間の底部に設置される陰イオンを生成する陰イオン発生器をさらに備える。
【００１５】
したがって、本発明のナノバブルを応用する廃ガス処理方法及びその処理システムは、例えば、ナノイオン水、アルカリ水又は電解水などの液体中にナノバブルを生成して、廃ガス処理システム内に注入する。液体のナノバブルと廃ガスと十分に混合すると、液体中の小さな水分子の洗浄力、浸透力及びナノバブルの空洞現象が誘発する物理的又は化学的なプロセスによって、廃ガス中の塵粒、重金属及び有機汚染物質、二酸化イオウ、一酸化窒素を含む窒素酸化物、揮発性有機化合物（ＶＯＣ）などの物質を包み込んで液体に溶解して、ナノバブルを利用して分解及び酸化処理する。本発明のナノバブルを応用する廃ガス処理方法及びその処理システムは、液体の中にあるナノバブルを利用して、液体中だけではなく、分散する途中も空気を酸化分解して洗浄することを続けて、空気中の有害物質を除去し、当地の廃ガス排出基準に適合する。
【図面の簡単な説明】
【００１６】
【図１】ナノバブルを応用する廃ガス処理方法の流れ図である。
【図２】本発明のナノバブルを応用する廃ガス処理システムの第一実施例のブロック概略図である。
【図３】本発明のナノバブルを応用する廃ガス処理システムの第一実施例のシステム概略図である。
【図４】本発明のナノバブルを応用する廃ガス処理システムの第二実施例のブロック概略図である。
【図５】本発明のナノバブルを応用する廃ガス処理システムの第二実施例のシステム概略図である。
【発明を実施するための形態】
【００１７】
本発明をより完全に理解するために、本発明の技術特徴、内容と長所及びそれが達成できる作用効果について、添付図面を参照して、実施例の表現形式で以下のように詳細に説明する。但し、図示された図面は、単に例示または明細書内容を補助することを目的としたものであって、本発明の実施後の原寸に比例したものや精確に配置したものには何ら拘束されない。よって、図示された図面は、添付図面の比例と配置関係で解釈されてはならず、本発明を実際に実施する権利範囲に制限することを意図したものではない。
【００１８】
本発明の長所、特徴及び達成するための技術方法をより容易に理解するために、例示的な実施例及び添付図面を参照しながらより詳細に説明する。なお、本発明は、本明細書に記載した実施形態に限定されるものではなく、異なる形態で実施することができる。むしろ、提供された実施形態は、本開示が完全なものとなるように、また当業者に本発明の範囲を完全に伝えるために提供されるものである。
【００１９】
本発明の説明について、特に明示的な定めのない限り、“取り付け”、“接続”、“連結”、“設置”という用語は、より広く解釈されるべきである。例えば、固定的な連結、取付可能な連結、一体化な連結、機構的な接続、電気的な接続、直接に連結、媒介を介して連結、又は二つの部品の内部の連通であっても良い。当業者には、その用語が本発明に適合する解釈が理解される。
【００２０】
図１を参照し、図１は本発明のナノバブルを応用する廃ガス処理方法の流れ図である。図面に示されるように、本発明のナノバブルを応用する廃ガス処理方法は以下のステップを含む。
（Ｓ１１）廃ガスを収容空間に注入するステップ、
（Ｓ１２）ナノイオン水、アルカリ水又は電解水からなる群から選択される液体を使用して前記収容空間にナノバブルを含んだ前記液体を生成し、ナノバブルを含んだ前記液体を使用して前記廃ガスを分解及び酸化処理するステップ、
（Ｓ１３）ナノバブルを含んだ前記液体と混合した前記廃ガスを渦巻き部に注入し、ナノバブルを含んだ前記液体と混合した前記廃ガスを前記渦巻き部の中で旋回するステップ、及び
（Ｓ１４）処理後の廃ガスを排出するステップ。
【００２１】
本発明のナノバブルを応用する廃ガス処理方法は、以下のナノバブルを応用する廃ガス処理システムにて詳細に説明する。
【００２２】
図２、図３を参照し、図２、図３は本発明のナノバブルを応用する廃ガス処理システムの第一実施例のブロック概略図及びシステム概略図である。図面に示されるように、本発明のナノバブルを応用する廃ガス処理システム１００は、エアインレット１０と、ナノバブル生成装置２０と気流旋動裝置３０とを備える。
【００２３】
そのうち、エアインレット１０は、廃ガスを生じる設備又は廃ガスを輸送するパイプラインに連結し、エアインレット１０から収容空間４０に廃ガスを供給するように設置される。収容空間４０は、例えば、スリーブ体であっても良い。エアインレット１０は、廃ガス換気キャビネット１１に連結し、収容空間４０の底部から収容空間４０に入ることができる。ナノバブル生成装置２０は収容空間４０に設置され、そして、例えば、ナノイオン水、アルカリ水又は電解水からなる群から選択される液体を収容空間４０に供給し、且つ液体中にナノバブルを生成することによって、ナノバブルを含んだ液体と廃ガスは収容空間４０に混合される。
【００２４】
そのうち、本実施例において、ナノイオン水を例示的な態様として説明するが、それに限定することなく、アルカリ水又は電解水にも適用する。
【００２５】
また、ナノイオン水は電解法によって生成する洗浄用水であり、好ましくは、ナノイオン水のｐＨ値は８〜１４の間であり、１７Ｏ−ＮＭＲ測定によって得られる半幅値は４５Ｈｚ〜７０Ｈｚの間である。ナノイオン水の分子を電解法で処理すると、ナノイオン水中の分子クラスターはさらに小さなクラスターになる。そのうち、ナノイオン水は、重金属、界面活性剤、有害化学物質などを含まず、且つ良い洗浄効果を持っている。また、ナノイオン水は、負電荷を持っている小さな水分子を含み、一般の液体より、物体表面の汚れ、又は空気中の二酸化イオウ、一酸化窒素などの窒素酸化物、揮発性有機化合物（ＶＯＣ）又は重金属などの廃ガスの界面又は表面を効果的に捉え、包囲、そして浸透することができる（アルカリ水と電解水は同じような特性を持っている）。そして、ナノイオン水は、汚れを迅速に乳化、分解することができ、且つ高密度の水酸化物を有するため、細菌や病原菌（例えば、レジオネラ菌、大腸菌）を一瞬で消すことができる。
【００２６】
そのうち、ナノバブル生成装置２０は、ナノバブル発生器２１を備え、ナノバブル発生器２１は、ナノイオン水のような液体にナノバブルを生成するように、収容空間４０の頂部近傍に設置される。好ましくは、ナノバブル生成装置２０は、アトマイザ２２をさらに含むことができる。アトマイザ２２は、液体を霧状に噴霧するように収容空間４０の底部近傍に設置される。
【００２７】
よって、収容空間４０の底部から注入された廃ガスは収容空間４０の中に上昇し、ナノバブル生成装置２０が生成するナノバブルを含んだ液体は廃ガスと混合する。その時、ナノイオン水のような液体は、その特性を利用して、イオンで物体表面の汚れ、又は空気中の二酸化イオウ、一酸化窒素などの窒素酸化物、揮発性有機化合物（ＶＯＣ）又は重金属などの廃ガスの界面又は表面を迅速に捉え、包囲、そして浸透することができる。ナノバブルが崩壊する瞬間に、５０００Ｋの高温及び１８００ａｔｍの圧力を生成することができ、水中に大量の水酸基と遊離基を生成し、捉えた有機気体に機械的な切断、熱分解、遊離基酸化、超臨界水酸化などの反応を発生し、廃ガス中の汚染物質を分解又は除去する。
【００２８】
一方、アトマイザ２２は収容空間４０の底部に液体を霧状に噴霧するため、液体が廃ガス中の有機廃ガスとＶＯＣなどの気体を捉え及び接触し、廃ガス中の汚染物質が液体中に溶解し、水循環システム５０に導入する。上記の方法を介して、廃ガス中の汚染物質を有効に分解及び除去することができる。
【００２９】
続いて、ナノバブル発生器２１を介して、１０μｍ〜数百μｍの間である強気化性バブルを生成し、このバブルは一般的なバブルにはない物理又は化学的な特性を持っている。さらに、このナノバブルは、比表面積が大きく、上昇速度が遅く、自己加圧効果を持ち、表面に負電荷を帯電、遊離基を大量生成するなどの特性を持っているため、短時間内に巨大なエネルギーを放出して強酸化性の作用を誘発できる。その作用は、汚染物質の一部を二酸化炭素及び水に転化し、他の部分は無機化にして粒状の物で水中に沈み込み、その粒状の物は無毒、難溶、不燃の特性を持っている。
【００３０】
よって、本発明のナノバブルを応用する廃ガス処理システム１００は、液体中のナノバブルが誘発する空洞現象を介して、ナノバブルを含んだ液体をその周囲にある有機廃ガスに機械的な切断、熱分解、遊離基酸化、超臨界水酸化などの反応を発生することによって、有機廃ガスを持続的に分解及び酸化する。
【００３１】
一方、気流旋回装置３０は、駆動部３１と渦巻き部３２とを備える。そのうち、渦巻き部３２は回旋構造を備えるスリーブであり、収容空間４０の上方に連結し、ナノバブルを含んだ液体と混合した廃ガスを収容する。駆動部３１は軸流ファンであっても良い。駆動部３１は、ナノバブルを含んだ液体と混合した廃ガスを渦巻き部３２に駆動する。そのうち、ナノバブルを含んだ液体と廃ガスには、空洞現象及び超臨界水酸化を発生し、廃ガス中の有害物質を除去する。
【００３２】
さらに言うと、パイプに沿って有機廃ガスをエアインレット１０から廃ガス換気キャビネット１１に通して収容空間４０に導入される。そして、アトマイザ２２を介して、酸素増加（酸素増加装置と接続若しくは酸素増加装置を備え）の方法で、高圧ポンプの作用によって霧化ノズルを通して大量の霧を生成し、エアインレット１０から注入された有機廃ガスとＶＯＣ（揮発性有機化合物）などの気体を捉え又は接触し、そのアトマイザ２２の酸化性能が有機廃ガスを処理するために必要な酸素原子を提供し、そして有機廃ガスとＶＯＣなどの気体がナノバブルを含んだ液体と混合する。
【００３３】
上述において、ナノバブル生成装置２０は、全揚程が１２０メートルの多級式高圧ポンプを動力として、ナノバブル発生器２１を介して、ナノメートル級のマイクロバブルを液体中に生成する。ナノイオン水中のマイクロバブルは空洞現象により、１０−９秒間で崩壊し、５０００Ｋの高温及び１８００ａｔｍの圧力を生成することができ、水中に水酸基と遊離基生成し、捉えた有機気体に機械的な切断、熱分解、遊離基酸化、超臨界水酸化などの反応を発生し、廃ガス中の汚染物質を分解又は除去する。
【００３４】
そして、駆動部３１及び渦巻き部３２を利用して、収容空間４０から渦巻き部３２に移動する廃ガスの気相及び液相物質が十分に混合して渦巻きになって、有機廃ガスとナノバブルを含んだ液体との接触、反応時間、及び処理効率を増加する。
【００３５】
最後に、ナノバブルを含んだ液体と廃ガスの空洞現象及び超臨界水酸化が継続することによって、有機廃ガスが酸化されて水、二酸化炭素、窒素及び重金属酸化物などの無害な小分子になる。処理後の廃ガスは普通の空気になって、渦巻き部３２の上方に排出される。
【００３６】
当然、ナノバブル発生器２１とアトマイザ２２は液体の水循環システム５０に連結し、高圧又は低圧のポンプ６０を介して液体を回収する。また、水循環システム５０は、水中に沈んだ無機化された粒状の物も排出することができる。さらに、渦巻き部３２の上方の排気口には、廃ガスの処理効率を検出する検出口７０を設置することもできる。
【００３７】
図４、図５を参照し、図４、図５は本発明のナノバブルを応用する廃ガス処理システムの第二実施例のブロック概略図及びシステム概略図である。図面に示されるように、本発明のナノバブルを応用する廃ガス処理システム１００は、エアインレット１０と、ナノバブル生成装置２０と、及び気流旋回装置３０とを備え、全体的に前記の実施例と似たものであり、同じ部品は同じ符号で表示するため、類似のところに対する説明は繰り返さない。
【００３８】
本実施例と前記の実施例と主な違いは、ナノイオン水を応用するナノバブルを応用する廃ガス処理システム１００は、陰イオン発生機をさらに備え、且つ上述した実施例のアトマイザ２２と整合して、陰イオンアトマイザ２２’とすることが好ましい。陰イオンアトマイザ２２’とポンプ６０を介して、陰イオンアトマイザ２２’から噴霧された霧状の液体、例えば、ナノイオン水は陰イオンの特性を持っている。よって、エアインレット１０から注入された有機廃ガスとＶＯＣなど気体とさらに有効に捉え及び接触することができる。
【００３９】
また、収容空間４０及びナノバブル発生器２１は、実際の需要に応じて、複数のセットで設置することができ、より完全に廃ガスを処理することができる。
【００４０】
そして、廃ガスが収容空間４０に輸送される前に、サイクロン集塵システムをさらに備えることができる。サイクロン集塵機は、塵粒を含んだ気流が旋回する時に生まれた遠心力を介して、塵粒を気体から分離して捕集する装置である。他の集塵機と比べると、サイクロン集塵機の構造が簡単、運動する部品がなく、コストが低く、除塵効率が高く、メンテナンスが便利、適用する場合も多いなどの利点を有する。サイクロン集塵機は、主に５〜１０μｍ以上の非粘性、非繊維な乾燥な塵粒を捕集するために使用される。また、廃ガスが収容空間４０に輸送される前に、水洗冷却システムを備えることができる。水洗冷却システムは、充填塔と、充填層と、冷却器から構成され、粗分離を実行するための設備である。水洗冷却システムは、塵粒を含んだ混合気体を分離し、分離された物質はお互いに反応せず、且つその産物は液化しやすく、粉塵などの不純物は液化又は凝固しにくい。混合気体が洗浄塔の中段部から洗浄塔に導入され、液体の循環洗浄と共に不純物を液体中に溶解し、予洗浄及び冷却の目的を達成する。
【００４１】
つまり、例えば、ボイラーが生じる廃ガスは脱硫塔に輸送し、サイクロン集塵システムを通って、水洗冷却システムに輸送し、最後に本発明のナノバブルを応用する廃ガス処理システムで処理して排出する。
【００４２】
本発明では工場の中にいくつかの採取口を設置し、採取口１は脱硫塔に輸送する前に試料を採取し、採取口２は脱硫塔とサイクロン集塵システムとの間に試料を採取し、採取口３はサイクロン集塵システムと水洗冷却システムとの間に試料を採取し、採取口４は水洗冷却システムとナノバブルを応用する廃ガス処理システムとの間に試料を採取し、採取口５はナノバブルを応用する廃ガス処理システムを通った後に試料を採取する。その結果は以下の表１に示す。
【００４３】
【表１】
2018158330.tif 000003
【００４４】
そのうち、窒素酸化物の標準値及び分析方法はＨＪ  ６９３−２０１４《固定汚染源廃ガス  窒素酸化物の測定  定電位電解法》を参照し、二酸化イオウの標準値及び分析方法はＨＪ／Ｔ  ５７−２０００《固定汚染源廃ガス中の二酸化イオウの測定  定電位電解法》を参照し、塵粒（即ち、煙塵）の標準値及び分析方法はＧＢ  ５４６８−１９９１《ボイラー煙塵測定方法》を参照し、水銀及びその化合物の標準値及び分析方法は原子蛍光分析法で《空気及び廃ガスモニター分析方法》２００３年（第四版）５．３．７．２を参照し、煙の濃度の標準値及び分析方法はＨＪ／Ｔ  ３９８−２００７《固体汚染源排出  煙の濃度の測定  リンゲルマン濃度表法》を参照する。
【００４５】
前記の表に示されるように、実験の結果により証明されたのは、窒素酸化物の除去率は８５〜９５％に達成することができ、二酸化イオウの除去率は８３〜９３％に達成することができ、塵粒ＰＭ２．５の除去率は６４〜７４％に達成することができ、水銀及びその化合物の除去率は８８〜９５％に達成することができる。
【００４６】
上述したように、本発明のナノバブルを応用する廃ガス処理方法及びその処理システムは、特別に選択された液体を、ナノバブルでＶＯＣ気体を分解する処理方法に応用し、液体の特性及びナノバブルの長所を組み合わせて、液体をナノバブルを含んだ液体に形成して、普通の水にナノバブルを生成する場合より優れた効果を持っている。また、その液体を廃ガス処理システムに応用すると、二酸化イオウ、一酸化窒素などの窒素酸化物、ほこり、塵粒ＰＭ２．５、有害物質、重金属、病原菌及びＶＯＣ（揮発性有機化合物）の除去率が更に上がる。
【００４７】
上述した実施例は、本発明の技術思想及び特徴を説明したが、その目的は本発明の範囲を限定するためのものではなく、当業者が本発明の内容を理解して実施するためのものである。即ち、本発明の範囲及び趣旨を逸脱することなく均等範囲内における変更及び修正は、いずれも添付の特許請求の範囲で扱うものとする。
【符号の説明】
【００４８】
１００：ナノバブルを応用する廃ガス処理システム
１０：エアインレット
１１：換気キャビネット
２０：ナノバブル生成装置
２１：ナノバブル発生器
２２：アトマイザ
２２’：陰イオンアトマイザ
３０：気流旋回装置
３１：駆動部
３２：渦巻き部
４０：収容空間
５０：水循環システム
６０：ポンプ
７０：採取口
Ｓ１１〜Ｓ１４：ステップ
【図１】
2018158330.tif 000004
【図２】
2018158330.tif 000005
【図３】
2018158330.tif 000006
【図４】
2018158330.tif 000007
【図５】
2018158330.tif 000008